【手続補正書】
【提出日】平成20年1月31日(2008.1.31)
【手続補正１】
【補正対象書類名】明細書
【補正対象項目名】特許請求の範囲
【補正方法】変更
【補正の内容】
【特許請求の範囲】
【請求項１】  インクを吐出するための吐出口が形成されたプリントヘッドをプリント媒体に対して走査させる走査移動および前記プリント媒体を搬送する搬送動作によりプリント作業を行うステップと、
前記プリントヘッドの吐出口面を払拭するステップと
を有し、前記プリント媒体に画像を形成する画像形成方法であって、
前記プリント媒体の後端領域に対して前記プリント作業を実行している場合、前記プリントヘッドの吐出口面を払拭するステップを禁止することを特徴とする画像形成方法。
【請求項２】  インクを吐出するための吐出口が形成されたプリントヘッドをプリント媒体に対して走査させる走査手段と、
前記プリント媒体を搬送する搬送手段と、
前記プリントヘッドの吐出口面を払拭する払拭手段と
を有し、前記走査手段および前記搬送手段によりプリント作業を実行し、前記プリント媒体に画像を形成する画像形成装置であって、
前記プリント媒体の後端領域に対して前記プリント作業を実行している場合、前記払拭手段による前記プリントヘッドの吐出口面の払拭動作を禁止する払拭禁止手段を有することを特徴とする画像形成装置。
【請求項３】  前記払拭禁止手段は、前記プリント媒体の後端領域に対して前記プリント作業による画像形成が完成した後は前記払拭動作の禁止を行わないことを特徴とする請求項２に記載の画像形成装置。
【請求項４】  前記払拭手段は、前記吐出口面を払拭する条件を満たした場合に前記プリントヘッドの吐出口面を払拭することを特徴とする請求項２に記載の画像形成装置。
【請求項５】  前記条件は、前記吐出口から吐出される液滴の吐出回数に対応していることを特徴とする請求項４に記載の画像形成装置。
【請求項６】  前記走査手段および前記搬送手段によるプリント作業が前記プリント媒体の後端領域に対して実行されているか否かを判断する判断手段を有することを特徴とする請求項２から請求項５の何れかに記載の画像形成装置。
【請求項７】  前記プリントヘッドよりも前記プリント媒体の搬送方向上流側に配置され、前記プリント媒体を搬送するためのローラと、
前記ローラよりも前記プリント媒体の搬送方向上流側に配置され、前記プリント媒体を検知するためのセンサとを有し、
前記判断手段は、前記センサにより前記プリント媒体が後端縁の検出された時点から前記プリント媒体の後端領域に対して前記プリント作業を実行していると判断することを特徴とする請求項６に記載の画像形成装置。
【請求項８】  前記プリントヘッドよりも前記プリント媒体の搬送方向上流側に配置され、前記プリント媒体を搬送するためのローラと、
前記ローラよりも前記プリント媒体の搬送方向上流側に配置され、前記プリント媒体を検知するためのセンサとを有し、
前記判断手段は、前記センサにより前記プリント媒体が先端縁を検出した時点および前記プリント媒体の前記搬送方向の長さの情報に基づいて、前記プリント媒体の後端領域に対して前記プリント作業を実行していると判断することを特徴とする請求項６に記載の画像形成装置。
【手続補正２】
【補正対象書類名】明細書
【補正対象項目名】００１８
【補正方法】変更
【補正の内容】
【００１８】
【課題を解決するための手段】
本発明の第１の形態は、インクを吐出するための吐出口が形成されたプリントヘッドをプリント媒体に対して走査させる走査移動および前記プリント媒体を搬送する搬送動作によりプリント作業を行うステップと、前記プリントヘッドの吐出口面を払拭するステップとを有し、前記プリント媒体に画像を形成する画像形成方法であって、前記プリント媒体の後端領域に対して前記プリント作業を実行している場合、前記プリントヘッドの吐出口面を払拭するステップを禁止することを特徴とするものである。
【手続補正３】
【補正対象書類名】明細書
【補正対象項目名】００１９
【補正方法】変更
【補正の内容】
【００１９】
本発明の第２の形態は、インクを吐出するための吐出口が形成されたプリントヘッドをプリント媒体に対して走査させる走査手段と、前記プリント媒体を搬送する搬送手段と、
前記プリントヘッドの吐出口面を払拭する払拭手段とを有し、前記走査手段および前記搬送手段によりプリント作業を実行し、前記プリント媒体に画像を形成する画像形成装置であって、前記プリント媒体の後端領域に対して前記プリント作業を実行している場合、前記払拭手段による前記プリントヘッドの吐出口面の払拭動作を禁止する払拭禁止手段を有することを特徴とするものである。
【手続補正４】
【補正対象書類名】明細書
【補正対象項目名】００２０
【補正方法】変更
【補正の内容】
【００２０】
【発明の実施の形態】
本発明の第２の形態による画像形成装置において、払拭禁止手段は、プリント媒体の後端領域に対してプリント作業による画像形成が完成した後は払拭動作の禁止を行わないものであってよい。
【手続補正５】
【補正対象書類名】明細書
【補正対象項目名】００２１
【補正方法】変更
【補正の内容】
【００２１】
払拭手段は、吐出口面を払拭する条件を満たした場合にプリントヘッドの吐出口面を払拭するものであってよい。
【手続補正６】
【補正対象書類名】明細書
【補正対象項目名】００２２
【補正方法】削除
【補正の内容】
【手続補正７】
【補正対象書類名】明細書
【補正対象項目名】００２３
【補正方法】削除
【補正の内容】
【手続補正８】
【補正対象書類名】明細書
【補正対象項目名】００２４
【補正方法】変更
【補正の内容】
【００２４】
吐出口面を払拭する条件を吐出口から吐出される液滴の吐出回数に対応させるようにしてもよい。
【手続補正９】
【補正対象書類名】明細書
【補正対象項目名】００２５
【補正方法】変更
【補正の内容】
【００２５】
走査手段および搬送手段によるプリント作業がプリント媒体の後端領域に対して実行されているか否かを判断する判断手段を有することができる。
【手続補正１０】
【補正対象書類名】明細書
【補正対象項目名】００２６
【補正方法】変更
【補正の内容】
【００２６】
プリントヘッドよりもプリント媒体の搬送方向上流側に配置されてプリント媒体を搬送するためのローラと、このローラよりもプリント媒体の搬送方向上流側に配置されてプリント媒体を検知するためのセンサとを有し、判断手段は、センサによりプリント媒体が後端縁の検出された時点からプリント媒体の後端領域に対してプリント作業を実行していると判断するものであってよい。
【手続補正１１】
【補正対象書類名】明細書
【補正対象項目名】００２７
【補正方法】変更
【補正の内容】
【００２７】
プリントヘッドよりもプリント媒体の搬送方向上流側に配置されてプリント媒体を搬送するためのローラと、このローラよりもプリント媒体の搬送方向上流側に配置されてプリント媒体を検知するためのセンサとを有し、判断手段は、センサによりプリント媒体が先端縁を検出した時点およびプリント媒体の搬送方向の長さの情報に基づいて、プリント媒体の後端領域に対してプリント作業を実行していると判断するものであってよい。
【手続補正１２】
【補正対象書類名】明細書
【補正対象項目名】００２８
【補正方法】削除
【補正の内容】
【手続補正１３】
【補正対象書類名】明細書
【補正対象項目名】００７９
【補正方法】変更
【補正の内容】
【００７９】
【発明の効果】
本発明の画像形成方法によると、プリント媒体の後端領域に対してプリント作業を実行している場合、プリントヘッドの吐出口面を払拭するステップを禁止するようにしたので、プリント作業中にプリント媒体とプリントヘッドとの接触を回避してプリント媒体に形成される画像の品質を低下させるような不具合を未然に防止することができる。
【手続補正１４】
【補正対象書類名】明細書
【補正対象項目名】００８０
【補正方法】削除
【補正の内容】
【手続補正１５】
【補正対象書類名】明細書
【補正対象項目名】００８１
【補正方法】削除
【補正の内容】
【手続補正１６】
【補正対象書類名】明細書
【補正対象項目名】００８２
【補正方法】削除
【補正の内容】
【手続補正１７】
【補正対象書類名】明細書
【補正対象項目名】００８３
【補正方法】削除
【補正の内容】
【手続補正１８】
【補正対象書類名】明細書
【補正対象項目名】００８４
【補正方法】変更
【補正の内容】
【００８４】
本発明の画像形成装置によると、プリント媒体の後端領域に対してプリント作業を実行している場合、払拭手段によるプリントヘッドの吐出口面の払拭動作を禁止する払拭禁止手段を有するので、プリント作業中にプリント媒体とプリントヘッドとの接触を回避してプリント媒体に形成される画像の品質を低下させるような不具合を未然に防止することができる。
【手続補正１９】
【補正対象書類名】明細書
【補正対象項目名】００８５
【補正方法】変更
【補正の内容】
【００８５】
吐出口を払拭する条件を吐出口から吐出される液滴の吐出回数に対応させた場合には、吐出口面の汚れ具合がほぼ所定状態の時に吐出口面を払拭することが可能であり、プリント作業の中断を最小限に抑えることができる。
【手続補正２０】
【補正対象書類名】明細書
【補正対象項目名】００８６
【補正方法】削除
【補正の内容】
【手続補正２１】
【補正対象書類名】明細書
【補正対象項目名】００８７
【補正方法】削除
【補正の内容】
【手続補正２２】
【補正対象書類名】明細書
【補正対象項目名】００８８
【補正方法】削除
【補正の内容】
【手続補正２３】
【補正対象書類名】明細書
【補正対象項目名】００８９
【補正方法】削除
【補正の内容】